(57)【要約】  簡単に着用出来、密着性に優れた防護用フードを提供するため、着用者の頭部を被覆するフードを有し、着用者の顔に対応する位置に開口部が形成されてなり、該開口部の上辺には、着用者の頭部周りで係止可能な係止具Ａを有することを特徴とする防護用フードとする。
2019167826.tif 000002
【特許請求の範囲】
【請求項１】
着用者の頭部を被覆するフードを有し、着用者の顔に対応する位置に開口部が形成されてなり、該開口部の上辺には、着用者の頭部周りで係止可能な係止具Ａを有することを特徴とする防護用フード。
【請求項２】
前記フードは開口部の左右側部に係止具Ｂを有し、該係止具Ｂは帯状部材であって、その一部が前記左右側部に結合され、別の一部が前記係止具Ａに結合されている、または、結合可能に構成されている、請求項１に記載の防護用フード。
【請求項３】
さらに、着用者の鼻および口を覆うマスクを有し、前記フードと前記マスクとによって前記開口部が形成されてなり、前記マスクは、前記開口部の下方において前記フードに結合されている、請求項１に記載の防護用フード。
【請求項４】
前記マスクの左右側辺に帯状部材を有し、該帯状部材が前記係止具Ａに結合されている、または、結合可能に構成されている、請求項３に記載の防護用フード。
【請求項５】
前記マスクは、透湿度が２００ｇ／ｍ２・ｈ以上２０００ｇ／ｍ２・ｈ以下の不織布で構成されている、請求項３または４に記載の防護用フード。
【請求項６】
前記マスクは、通気量が２０ｃｍ３／ｃｍ２／ｓｅｃ以上２００ｃｍ３／ｃｍ２／ｓｅｃ以下、かつ、通塵捕集効率が８０％以上の不織布で構成されている、請求項３〜５のいずれかに記載の防護用フード。
【請求項７】
前記フードは、透湿度が２００ｇ／ｍ２・ｈ以上２０００ｇ／ｍ２・ｈ以下の不織布で構成されている、請求項１〜６のいずれかに記載の防護用フード。
【請求項８】
前記フードは、通気量が２０ｃｍ３／ｃｍ２／ｓｅｃ以上２００ｃｍ３／ｃｍ２／ｓｅｃ以下、かつ、通塵捕集効率が８０％以上の不織布で構成されている、請求項１〜７のいずれかに記載の防護用フード。
【請求項９】
前記フードは、頭頂部に対応する部分を構成する布帛と、側頭部に対応する部分を構成する布帛とが縫合されて構成されている、請求項１〜８のいずれかに記載の防護用フード。
【請求項１０】
使い捨てである、請求項１〜９のいずれかに記載の護用フード。
【請求項１１】
請求項１〜１０のいずれかに記載の防護用フードを取り付けてなる防護服。
【発明の詳細な説明】
【技術分野】
【０００１】
本発明は、着脱しやすく、頭部や顔面への密着度が高い防護用フードに関する。
【背景技術】
【０００２】
粉塵、放射能やウイルス等の外的有害物質の存在する場所で作業するとき、それらから身体を守るため防護服や防護用フードを着用する。一方、食品工場やクリーンルームでは人体からの発塵や毛髪等汚物を外に出さないことを目的に防護服や防護用フードを着用する。いずれも着用順序は煩雑であったり、着用に手間がかかることが多かった。また、重複して装備しなくてはならないため長時間着用していると蒸れ感を感じて不快になることも多かった。装備の中でも特に防護用フードは、頭部や顔面を覆うため呼吸しづらかったり細かな作業時に視界を遮り邪魔になったりすることが多かった。【０００３】
そこで、軟質のフードによりマスク両端の固定帯をフード外部で人体の耳朶あるいは頭部にかけることができる「マスク付き医療用フード装置」（特許文献１）、目元には保護メガネを、鼻口元にはマスクを一体化させた「防塵フード」（特許文献２）、着用者がフードを着用した状態でマスクを容易に着脱できる「防塵フード」（特許文献３）、（特許文献４）等が提案されている。【０００４】
しかしながら、特許文献１に記載のフード装置は、フード本体にマスクを一体的に設けるとともにフード本体の人体眼部に対応する位置にも透明材料などの可視材料を一体的に設けるものであり、着脱性やフードの人体への密着性、さらには可視領域の確保という点で、課題の残るものであった。また、特許文献２に記載の防塵フードは、フード本体に保護眼鏡やマスクを一体的に組み込み、保護メガネやマスクを掛ける耳掛けや鼻掛けをフード内側に設けることで、人体と保護具とのズレを防止するものであるが、やはり着脱性やフードの人体への密着性、可視領域の確保という点で課題が残るものであった。【０００５】
一方、食品現場などで着用されることを想定した特許文献３と特許文献４に記載のフードでは、食品のにおいをかいだり試食したりするときに口や鼻の部分を開口できる工夫がなされている。しかし、特許文献３に記載のフードは、頭髪や眉毛の外部露出を防ぐために人体眼部の上方に対応する位置を伸縮性帯状部材などでアーチ状に形成するものであり、かかるアーチには常に内側へと力がかかる。また、特許文献４に記載のフードも、目、鼻、口に対応する開口部の周縁部には伸縮性布地を用いるものであり、かかる周縁部には常に開口部内側へと力がかかる。そのため、いずれの文献に記載のフードも、フード着用者が右に左にと頭を動かしながら作業するような場合にはフード自体が目を覆うことにもなりかねず、密着性、可視領域の確保という点で問題があった。
【先行技術文献】
【特許文献】
【０００６】
【特許文献１】実用新案登録第３１１００５８号公報
【特許文献２】特開２０１３−２５３３４４公報
【特許文献３】特開２０１４−２３７９０７公報
【特許文献４】特許第６０５１１２５号公報
【発明の概要】
【発明が解決しようとする課題】
【０００７】
本発明の課題は、かかる従来技術の欠点を改良し、簡単に着用出来、密着性に優れた防護用フードを提供することにある。
【課題を解決するための手段】
【０００８】
上記課題を解決するため、本発明は次の（１）〜（１１）のいずれかの構成を有する。
（１）着用者の頭部を被覆するフードを有し、着用者の顔に対応する位置に開口部が形成されてなり、該開口部の上辺には、着用者の頭部周りで係止可能な係止具Ａを有することを特徴とする防護用フード。
（２）前記フードは開口部の左右側部に係止具Ｂを有し、該係止具Ｂは帯状部材であって、その一部が前記左右側部に結合され、別の一部が前記係止具Ａに結合されている、または、結合可能に構成されている、前記（１）に記載の防護用フード。
（３）さらに、着用者の鼻および口を覆うマスクを有し、前記フードと前記マスクとによって前記開口部が形成されてなり、前記マスクは、前記開口部の下方において前記フードに結合されている、前記（１）に記載の防護用フード。
（４）前記マスクの左右側辺に帯状部材を有し、該帯状部材が前記係止具Ａに結合されている、または、結合可能に構成されている、前記（３）に記載の防護用フード。
（５）前記マスクは、透湿度が２００ｇ／ｍ２・ｈ以上２０００ｇ／ｍ２・ｈ以下の不織布で構成されている、前記（３）または（４）に記載の防護用フード。
（６）前記マスクは、通気量が２０ｃｍ３／ｃｍ２／ｓｅｃ以上２００ｃｍ３／ｃｍ２／ｓｅｃ以下、かつ、通塵捕集効率が８０％以上の不織布で構成されている、前記（３）〜（５）のいずれかに記載の防護用フード。
（７）前記フードは、透湿度が２００ｇ／ｍ２・ｈ以上２０００ｇ／ｍ２・ｈ以下の不織布で構成されている、前記（１）〜（６）のいずれかに記載の防護用フード。
（８）前記フードは、通気量が２０ｃｍ３／ｃｍ２／ｓｅｃ以上２００ｃｍ３／ｃｍ２／ｓｅｃ以下、かつ、通塵捕集効率が８０％以上の不織布で構成されている、前記（１）〜（７）のいずれかに記載の防護用フード。
（９）前記フードは、頭頂部に対応する部分を構成する布帛と、側頭部に対応する部分を構成する布帛とが縫合されて構成されている、前記（１）〜（８）のいずれかに記載の防護用フード。
（１０）使い捨てである、前記（１）〜（９）のいずれかに記載の護用フード。
（１１）前記（１）〜（１０）のいずれかに記載の防護用フードを取り付けてなる防護服。
【発明の効果】
【０００９】
本発明の防護用フードは、着用者の顔に対応する位置に開口部が形成されてなり、開口部の上辺には、着用者の頭部周りで係止可能な係止具Ａを有しているので、フードの着用者への密着性が極めて優れたものとなる。そして、フードの開口部の左右側部に帯状部材の係止具Ｂを設け、その一部を前記左右側部に結合するとともに、別の一部を前記係止具Ａに結合、または、結合可能に構成する場合には、密着性および着脱性がより優れたものとなる。【００１０】
また、本発明の防護用フードが、フードとマスクを有するとともに該フードとマスクによって開口部を形成されてなり、その開口部の下方にマスクを結合している場合も、着脱性に優れ、しかも開口部の上辺に、着用者の頭部周りで係止可能な係止具Ａを設けることで、フードの着用者への密着性を極めて優れたものとすることができる。そして、マスクの左右側辺に帯状部材を設け、該帯状部材を前記係止具Ａに結合、または、結合可能に構成する場合には、密着性および着脱性がさらに優れたものとなる。【００１１】
また、フードやマスクを、透湿度が２００ｇ／ｍ２・ｈ以上２０００ｇ／ｍ２・ｈ以下の不織布で構成する場合には、例えば屋外作業時や蒸し暑い屋内で長時間着用してもムレにくいものとなる。
【図面の簡単な説明】
【００１２】
【図１】日本人寸法データブックにおけるＮｏ．１５頬弓幅Aを示す図である。
【図２】日本人寸法データブックにおけるＮｏ．８眉間・オトガイ距離Bを示す図である。
【図３】本発明の一実施形態を示す防護用フードの正面図である。
【図４】本発明の一実施形態を示す防護用フードの正面図である。
【図５】本発明の一実施形態を示す防護服の正面図である。
【図６】本発明の一実施形態を示す防護用フードの正面図である。
【図７】本発明の一実施形態を示す防護用フードにおけるマスク部分の拡大図である。
【図８】本発明の一実施形態を示す防護服の正面図である。
【図９】一般的なフードの形状図である。
【発明を実施するための形態】
【００１３】
以下、本発明の実施形態について図面を参照しながら具体的に説明する。
【００１４】
本発明の防護用フードは、例えば図３に示すように、着用者の頭部を被覆するフード２を有し、そのフード２には、着用者の顔に対応する位置に開口部２０が形成されるとともに、開口部２０の上辺に、頭部周りで係止可能な係止具５（係止具Ａ）が設けられている。着用者の顔に対応する位置に開口部２０を形成することで目、鼻、口を露出することができ、係止具５により、開口部２０周辺でのフードの顔への密着性を高めることができる。
【００１５】
係止具５は、頭部周りで係止可能なものであればいかなるものであってもよいが、例えば、紐やゴム、テープ状物（バイヤステープ、綾テープ、面ファスナーなど）などの係止具を例示できる。また、その端部に両面テープを設けてフード本体に係止可能にしてもよい。着用者はフードの額に対応する部位とフード側面とを一緒にひっぱることができ、着用工程数を減らせることができ、なおかつ密着度を向上することができる。
【００１６】
係止具５は、帯状部材の左右両端部を頭囲周囲に合わせて引っ張って止めるなど、張力を付与して係止できる構造が好ましい。帯状部材の両端を互いに後頭部で交差させて結んだり、帯状部材の端部に面ファスナーや両面テープをつけて、その帯状部材の両端部を互いに接触して固定するようにしたり、その両面テープを頭部側面に貼り付けて固定すしたりすればよい。なお、帯状部材は、その両端部を互いに交差したり接触させて固定する場合、着用者の頭囲以上の長さを有する必要がある。
【００１７】
そして、フード２の、開口部２０の左右側部には、帯状部材の係止具５０（係止具Ｂ）を設けることが好ましい。該帯状部材の係止具５０（係止具Ｂ）は、一部を前記左右側部に結合するとともに、別の一部を係止具５（係止具Ａ）に結合する、または、結合可能に構成することが好ましい。このようにすることで、該２本の係止具５、５０（係止具Ａ、Ｂ）を左右それぞれの側頭部で結合または結合可能に構成する。
【００１８】
係止部５、５０の素材はフード２の共生地であってもフード２とは異素材であってもよいが、フード２と同じ生地で作ったものにすることでコストダウンでき、素材特徴を活かすことができ、また、縫製後の滅菌加工をする場合にも問題が発生しないので、好ましい。
【００１９】
開口部２０の大きさは、幅（ヨコ方向）１３ｃｍから１６ｃｍが好ましく、１５ｃｍ程度がより好ましい。開口部の長さ（タテ方向）は９ｃｍから１３ｃｍが好ましく、１１ｃｍから１２ｃｍがより好ましい。これは社団法人人間工学研究センター発行の日本人の人体寸法データブック２００４−２００６を参考に割り出した数字で、幅方向については図１に示す頬弓幅Ａを、長さ方向については図２に示す眉間・オトガイ距離Ｂを参考に、露出を最小限に抑え、なおかつ視線の妨げにならない大きさである。
【００２０】
本発明においては、図４に示すように開口部２０の下部を覆うように、すなわち着用者の鼻と口部を覆うように、フード２にマスク３を結合することも可能である。このようにマスク一体型の防護用フードとすることで簡便に着用できる。
【００２１】
マスク３は、図４示すように、中央部（着用者の鼻に対応する位置）に左右側辺よりも１．０ｃｍから２．０ｃｍ高い凸部が形成されるように、上方側を弓状にすることが好ましい。このような構成により鼻への密着性をあげることができる。さらにこのマスク上辺には、ノーズワイヤー８を挿入することでより鼻に密着させることができる。また、マスクの水平方向にタック９を入れることで、より強固に防護したい場合に該防護用フードの内側に別の立体型マスクを付けても着用出来るし、マスクが口に密着して息苦しくなることを防ぐことができる。タックの分量は２ｃｍ以上８ｃｍ以下の範囲内で入れること、すなわち、２〜８ｃｍの余分布帛量を１本〜４本のタックに振り分けて入れることが好ましい。
【００２２】
そして、マスク一体型の防護用フードとしては、例えば図６に示すような態様も好ましい。図６に示す防護用フード１は、着用者の頭部を被覆するフード２と着用者の鼻および口を覆うマスク３とを有し、これらフード２とマスク３とによって着用者の顔に対応する位置に開口部２０を形成するとともに、開口部２０の上辺に、頭部周りで係止可能な係止具５を有している。また、開口部２０の下方においては鼻と口部を覆うマスク３がフード２に結合されている。このような本発明の防護用フードは、顔に対応するフード中心部に開口部２０を有することにより目が露出するので、この露出した部分をゴーグル、フィルムなどでカバーしても視界を確保することができる。
【００２３】
図６に示すような防護用フード１において、開口部２０の大きさは、例えば、幅（着用時のヨコ方向）１３ｃｍから１６ｃｍが好ましい。また、開口部の長さ（着用時のタテ方向）は２．０ｃｍから６．０ｃｍが好ましく、３．０ｃｍから５．０ｃｍがより好ましい。これは社団法人人間工学研究センター発行の日本人の人体寸法データブック２００４−２００６を参考に割り出した数字で、幅方向については図１に示す頬弓幅Ａを、長さ方向については図２に示す眉間・オトガイ距離Ｂを参考に、露出を最小限に抑え、なおかつ視線を妨げないという観点から導きだした大きさである。
【００２４】
そして、図６に示すような本発明の防護用フードにおいても、目を露出させる開口部２０周辺でのフードの顔への密着性を高めるため、開口部２０の上辺に係止具５を有している。係止具５を設けることで、額部分にフードを密着させることができ、頭や首を左右に動かした場合のフードのずれを防ぐことができる。上辺に係止具５がない場合は、特に動いたときにフードと額の間にすき間ができ、内外からの汚染物侵入を高度に防止することが難しい。
【００２５】
かかる係止具５は、図３について説明したものと同様、頭部周りで係止可能なものであればいかなるものであってもよく、例えば、紐やゴム、テープ状物（バイヤステープ、綾テープ、面ファスナーなど）など帯状部材を例示できる。また、帯状部材の端部に両面テープを設け、係止可能にしてもよい。
【００２６】
また、かかる係止具５は、その帯状部材の左右両端部を頭囲周囲に合わせて引っ張って止めるなど、張力を付与して係止できる構造であればよい。例えば、帯状部材の両端を互いに後頭部で交差させて結んだり、帯状部材の端部に面ファスナーや両面テープをつけて、その帯状部材の両端部を互いに接触して固定するようにしたり、その両面テープを頭部側面に貼り付けて固定すしたりすればよい。なお、帯状部材は、その両端部を互いに交差させたり接触させて固定する場合には、着用者の頭囲以上の長さを有する必要がある。
【００２７】
図６に示すような防護用フードにおいても、係止部５の素材はフードの共生地であってもフードとは異素材であってもよいが、フード本体と同じ生地で作ったものにすることでコストダウンでき、素材特徴を活かすことができ、また、縫製後の滅菌加工をする場合にも問題が発生しないので、好ましい。
【００２８】
さらに、図６に示すような本発明の防護用フードにおいては、開口部２０に結合させたマスクの左右側辺にタテ方向に延びる帯状部材６を配することでマスクの密着度を上げることができる。帯状部材６は、図６に示すように、例えばマスクよりも上方で、かつ、側頭部に対応する位置で、係止具５に縫合により一体化（図中Ｃ）しておくことが好ましい。このようにすることで、着用者はフードの額に対応する部位とマスクとを一緒にひっぱることができ、着用工程数を減らせることができ、なおかつ密着度を向上することができる。なお、係止具５と帯状部材６とを結合する場合、かかる結合は着用者が本発明の防護用フードを着用するまでに行われていればよいため、着用者のサイズに合わせて両者の位置関係を変更できるように、面ファスナーや両面テープなどにより結合可能に構成することも好ましい。
【００２９】
図６に示す防護用フードに用いられるマスク３も、図７で示すように、中央部（着用者の鼻に対応する位置）に左右側辺よりも１．０ｃｍから２．０ｃｍ高い凸部が形成されるように、上方側を弓状７にすることが好ましい。このような構成により鼻への密着性をあげることができる。さらにこのマスク上辺には、ノーズワイヤー８を挿入することでより鼻に密着させることができる。また、マスクの水平方向にタック９を入れることで、より強固に防護したい場合に該防護用フードの内側に別の立体型マスクを付けても、着用出来るし、マスクが口に密着して息苦しくなることを防ぐことができる。タックの分量は２ｃｍ以上８ｃｍ以下の範囲内で入れること、すなわち、２〜８ｃｍの余分布帛量を１本〜４本のタックに振り分けて入れることが好ましい。
以上のような本発明の防護用フードは、いずれの態様であっても簡便な構造であるため、素早く着用することができる。特に、クリーンルームなどでは着用する際に床や壁面に防護服や防護用フードが触れないように素早く着用する必要があるが、本発明の防護用フードおよび該防護用フードを縫着した防護服によれば、それが容易になる。
【００３０】
そして、本発明の防護用フードは、例えば図５、８に示すように、概ね正円の、頭頂部に対応する部分を構成する布帛１０と、概ね台形の、側頭部に対応する部分を構成する布帛１１とを縫い合わせることにより構成できる。このような構成で、頭部により密着できるものとすることができる。一般的には図９に示すように左右同型の２枚の生地を縫い合わせているフードが多く、その場合、額の正しい位置が固定しづらく頭を動かすとフードの中であたまが動くため、視界を遮り着用感が悪いものとなりやすい。
【００３１】
また、防護用フード使用時には、通常、目を保護するためにゴーグルや保護メガネを使用するが、本発明の防護用フードであればかかるゴーグル・保護メガネとマスクとのすき間を格段に減少させることができる。また、ゴーグル・保護メガネを着用する代わりに、開口部２０に視認性の高いフィルムを縫着してもかまわない。その際マスクからの呼気流出による曇りが発生するため、紡曇加工しているフィルムを用いることが好ましい。
【００３２】
本発明の防護用フードは、図５、８に示すような防護服１２を構成するものとして使用できるが、防護用フードおよび／または防護服に使用する素材は、フード２もマスク３も透湿度が２００ｇ／ｍ２・ｈ以上２０００ｇ／ｍ２・ｈ以下の不織布であることが、着用快適性の点で好ましい。透湿度が２００ｇ／ｍ２・ｈを下回るとムレやすく着用快適性に劣りやすい。また２０００ｇ／ｍ２・ｈを上回る場合は通塵捕集効率が劣るため、防護服として好ましくない。
【００３３】
さらに、フード２および／またはマスク３に使用する素材は、通気量が２０ｃｍ３/ｃｍ２/ｓｅｃ以上２００ｃｍ３/ｃｍ２/ｓｅｃ以下、なおかつ通塵捕集効率が８０％以上の不織布であることが好ましい。不織布が２０ｃｍ３/ｃｍ２/ｓｅｃを下回ると蒸れやすく着用快適性に劣る。２００ｃｍ３/ｃｍ２/ｓｅｃを上回ると通塵捕集効率が劣り、内外からの汚染物侵入を防止することが難しくなる場合がある。
【００３４】
本発明の防護用フードおよび／または防護服に使用する素材（生地構成）は、不織布単層や不織布を用いた積層体などが挙げられる。積層体の例としては、ＳＭＳ構造（スパンボンド不織布／メルトブロー不織布／スパンボンド不織布）やＳＦＳ構造（スパンボンド不織布／フィルム／スパンボンド不織布）の３層積層体がよく知られている。ＳＭＳ構造やＳＦＳ構造は、真ん中の層に機能性素材を用いる事ができ、かつ表裏層のスパンボンド不織布が外部からの保護層の役目を果たし、かつ風合いならびに柔らかさを与えることができることから、好ましい形態のひとつである。
【００３５】
防護用フードの作り方や防護服への防護用フードの取り付け方については特に限定はなく、例えば超音波による融着縫製やミシン糸を使ったミシン縫製、接着テープなどを使った接着縫製があり、用途に合わせて選択することができる。
【００３６】
また、上記防護用フードおよび／または防護服が使い捨てであることも好ましい。防護服の外には汚染物質が付着する可能性があるため、脱衣する毎に廃棄することが安全面で好ましく、そのためにはコストの安い不織布を使用することがより好ましい。もちろんコストの安い織物や編物を使うことも可能ではあるが、織物や編物の場合、生地端ほつれの処理をする必要があり、またその部分から糸くずやホコリが出る可能性があることから、生地端がほつれない不織布を使用することがより好ましい。
【実施例】
【００３７】
以下、本発明を実施例および比較例を挙げてさらに具体的に説明するが、本発明はこれに限定されるものではない。なお、実施例および比較例において用いた防護用フードの品質評価は次の方法で実施した。【００３８】
（測定方法）
（１）透湿度
素材の透湿度は、ＪＩＳ  Ｌ  １０９９：２０１２  「繊維製品の透湿度試験方法」のＡ−１法（塩化カルシウム法）に基づき測定し、単位：ｇ／ｍ２・ｈで評価した。【００３９】
（２）通気性
ＪＩＳ  Ｌ  １９１３：２０１０  ６．８．１  フラジール形法に基づき、１５ｃｍ×１５ｃｍの大きさの試験片を通過する空気量をＮ＝３で測定し、その平均値を通気性とした。【００４０】
（３）捕集効率 
１０カ所測定用サンプルを採取し、それぞれの試料について、捕集性能測定装置で測定した。この捕集性能測定装置は、測定サンプルをセットするサンプルホルダーの上流側にダスト収納箱を連結し、下流側に流量計、流量調整バルブ、ブロワを連結して構成する。また、サンプルホルダーにパーティクルカウンターを使用し、切り替えコックを介して、測定サンプルの上流側のダスト個数と下流側のダスト個数をそれぞれ測定することができるように構成する。さらに、サンプルホルダーには圧力計を設け、サンプル上流、下流の静圧差を読みとる。【００４１】
捕集性能の測定にあたっては、直径０．３μｍのポリスチレン標準ラテックスパウダー（ナカライテック製０．３０９Ｕポリスチレン１０質量％溶液を蒸留水で２００倍に希釈）をダスト収納箱に充填し、試料をサンプルホルダーにセットし、風量をフィルター通過速度が３ｍ／分になるように流量調整バルブで調整し、ダスト濃度を１万〜４万個／２．８３×１０−４ｍ３（０．０１ｆｔ３）の範囲で安定させ、サンプルの上流のダスト個数Ｄおよび下流のダスト個数ｄをパーティクルカウンター（リオン社製、ＫＣ−０１Ｅ）で１サンプルあたり３回測定し、下記算式にて、捕集性能（％）を求め、１０サンプルの平均値を算出した。
捕集効率（％）＝〔１−（ｄ／Ｄ）〕×１００
（４）着用感
防護用フードと防護服をモニターに着用させ、３０℃×４０％ＲＨの環境下で２０分作業した時の着用感、ムレ感およびフードの固定性、視認性について官能評価を実施した。その評価基準を表１に示す。【００４２】
【表１】
2019167826.tif 000003
【００４３】
＜実施例１＞
ポリプロピレン製のスパンボンド不織布（２０ｇ／ｍ２、通気性３２０ｃｍ３／ｃｍ２／ｓｅｃ）とポリプロピレン製のエレクトレットメルトブロー不織布（通気性１５０ｃｍ３／ｃｍ２／ｓｅｃ、目付２０ｇ／ｍ２、平均繊維径２μｍ）を、ホットメルト接着剤（株式会社ＭＯＲＥＳＣＯ社製  モレスコメルト：ＴＮ−３６７Ｚ、１４０℃の溶融粘度１２００ｍＰａ・ｓ）を用いてスプレー塗布（塗布量２．０ｇ／ｍ２）により接着し、スパンボンド／メルトブローの２層積層品を得た。次に、２層積層品のメルトブロー不織布面とポリプロピレン製のスパンボンド不織布（２０ｇ／ｍ２、通気性３２０ｃｍ３／ｃｍ２／ｓｅｃ）を、再度同様に接着し、ＳＭＳ（スパンボンド不織布／メルトブロー不織布／スパンボンド不織布）の３層積層体を得た。【００４４】
この３層積層体を裁断・ミシン縫製して、図６に示すような防護用フードを得た。防護用フードの前中心（着用者の顔に対応する位置）には幅１５ｃｍ×長さ４．５ｃｍの開口部を設け、開口部の下方にはマスクを取り付けた。マスクは、中央を２ｃｍ凸状にし、上辺にはノーズワイヤーを取り付け、さらに４ｃｍの余分布帛をタックとして下向きに入れた。開口部の上辺には２ｃｍ幅×１３０ｃｍの共生地で作った係止具（係止具Ａ）を縫合によって取り付けた。また、マスク左右側辺にも、２ｃｍ幅の共生地で作った帯状部材を取り付け、開口部の上辺に設けた係止具に前記帯状部材の上端を無理な力がかからないように重ね、重なっている部分を縫合により一体化した。【００４５】
また、上記防護用フードと同様の三層積層体を用い、前身頃、後身頃、左右袖、および左右ズボンを一体化したつなぎを作製し、これに上記防護用フードを取り付けて、図８に示すような防護服を得た。【００４６】
得られた防護服の物性値と縫製仕様を表２に、防護服を着用して作業した時の着用感を表３に示す。【００４７】
＜実施例２＞
実施例１のポリプロピレン製のエレクトレットメルトブロー不織布の代わりに、ポリエチレン製の微多孔質フィルム（厚み１４μｍ、融点１３７℃、微多孔の細孔径３２μｍ、透湿度３８０ｇ／ｍ２・ｈ、引張強度（タテ）４０Ｎ／５０ｍｍ、引張強度（ヨコ）４０Ｎ／５０ｍｍ、引張伸度（タテ）１０％、引張伸度（ヨコ）８％、耐水圧６５ｋＰａ、突刺強度３７０Ｎ／ｍｍ）を用いた以外は、実施例１と同様の方法で、ＳＦＳ（スパンボンド不織布／フィルム／スパンボンド不織布）の３層積層体を得た。【００４８】
得られた３層積層体を用い、超音波にて溶着縫製し、実施例１と同形状の防護用フード、防護服を作製した。得られた防護服の物性値と縫製仕様を表２に、防護服を着用して作業した時の着用感を表３に示す。【００４９】
＜実施例３＞
実施例２で得た３層積層体を用い、フードの開口部に曇り止めハードコート加工を施した１００μｍポリエステルフィルムを縫い付けた以外は実施例２と同様に防護用フード、防護服を作製した（但し、ミシン縫製による）。得られた防護服の物性値と縫製仕様を表２に、防護服を着用して作業した時の着用感を表３に示す。【００５０】
＜実施例４＞
スパンボンド不織布の上に防水コーティングを施した生地を用い、実施例１に示す形状のフードを有する防護服上衣と防護用ズボンを作製した。得られた防護服の物性値と縫製仕様を表２に、防護服を着用して作業した時の着用感を表３に示す。【００５１】
＜実施例５＞
実施例１で使用した３層積層体を裁断・ミシン縫製して、図３に示すような防護用フードを得た。防護用フードの前中心（着用者の顔に対応する位置）には幅１５ｃｍ×長さ１１ｃｍの開口部を設けた。開口部の上辺には２ｃｍ幅×１３０ｃｍ長の共生地で作った係止具（係止具Ａ）を縫合によって取り付けるとともに、開口部の左右側部それぞれには２ｃｍ幅×５３ｃｍ長の共生地で作った帯状部材（係止具Ｂ）の一端を取り付け、該帯状部材（係止具Ｂ）の一部と開口部の上辺に設けた係止具（係止具Ａ）の一部とを、無理な力がかからないように重ね、重なっている部分を縫合により一体化した。【００５２】
また、上記防護用フードと同様の三層積層体を用い、前身頃、後身頃、左右袖、および左右ズボンを一体化したつなぎを作製し、これに上記防護用フードを取り付けて、図５に示すような防護服を得た。【００５３】
得られた防護服の物性値と縫製仕様を表２に、防護服を着用して作業した時の着用感を表３に示す。【００５４】
＜実施例６＞
実施例２で使用した３層積層体を用い、裁断、超音波にて溶着縫製し、実施例５と同形状の防護用フード、防護服を作製した。得られた防護服の物性値と縫製仕様を表２に、防護服を着用して作業した時の着用感を表３に示す。
＜比較例１＞
市販のポリエチレン製フラッシュスパン不織布１層の布帛を用い、図９に示す形状のフードを有する防護服とした以外は実施例１と同様に防護服を作製して、着用試験を実施した。なお、フードには、着用者の額から顎までに相当する位置に最大幅１８ｃｍ最大長さ１５ｃｍの開口部を設けるものの、マスクや開口部上辺および左右側部の帯状部材（係止具Ａ、Ｂ）は設けなかった。得られた防護服の物性値と縫製仕様を表２に、防護服を着用して作業した時の着用感を表３に示す。【００５５】
＜比較例２＞
実施例１で得た３層積層体を用い、係止具５（係止具Ａ）、マスク３、帯状部材６を設けなかった以外は実施例１と同様に防護用フード、防護服を作製し、着用試験を実施した。なお、開口部は、マスクを設けていないため、幅１５ｃｍ長さ１２ｃｍであった。得られた防護服の物性値と縫製仕様を表２に、防護服を着用して作業した時の着用感を表３に示す。【００５６】
＜比較例３＞
実施例１で得た３層積層体を用い、額の係止具５（係止具Ａ）を設けなかった以外は実施例１と同様に防護用フード、防護服を作製した。得られた防護服の物性値と縫製仕様を表２に、防護服を着用して作業した時の着用感を表３に示す。【００５７】
【表２】
2019167826.tif 000004
【００５８】
【表３】
2019167826.tif 000005
【産業上の利用可能性】
【００５９】
本発明の防護用フードは、簡単に着用出来、頭部や顔面への密着性も高いので、有害物質の存在する環境下あるいはクリーンルームなどで好適に着用することができる。また、食品その他の製造・加工工場においても好適に用いることができる。
【符号の説明】
【００６０】
Ａ：頬弓幅
Ｂ：眉間・オトガイ距離
Ｃ：係止具５と帯状部材６との縫合部
１：防護用フード
２：フード
３：マスク
５：係止具（係止具Ａ）
６：帯状部材
７：弓状
８：ノーズワイヤー
９：タック
１０：頭頂部に対応する部分を構成する布帛
１１：側頭部に対応する部分を構成する布帛
１２：防護服
２０：開口部
５０：係止具（係止具Ｂ）
【図１】
2019167826.tif 000006
【図２】
2019167826.tif 000007
【図３】
2019167826.tif 000008
【図４】
2019167826.tif 000009
【図５】
2019167826.tif 000010
【図６】
2019167826.tif 000011
【図７】
2019167826.tif 000012
【図８】
2019167826.tif 000013
【図９】
2019167826.tif 000014
【国際調査報告】
2019167826.tif 000015
2019167826.tif 000016
2019167826.tif 000017
2019167826.tif 000018